Podtech/llm-jp-corpus-v4-ja_patent huggingface dataset:
(57)【要約】      （修正有）【課題】山芋類にアレルギーのある方やダイエットもしくは糖尿病などで糖質を制限している方でも安心して食べられる、山芋類を使わないかるかん生地を使用したかるかん又はかるかん饅頭の提供。【解決手段】かるかん粉（上新粉等代用可）１５〜３０重量％、煮るなどして十分に加熱し、細かく粉砕したキクラゲ１０〜３０重量％、砂糖又はノンカロリー若しくは低カロリーの甘味料２０〜３５％、水、牛乳、又は豆乳１０〜２５％、卵白５〜１５％を主成分として混合してなる、かるかん生地。キクラゲを使ったかるかん生地を用い、蒸気で蒸してできる、かるかん又はかるかん饅頭。【選択図】なし【特許請求の範囲】
【請求項１】
重量％でかるかん粉（上新粉等代用可）１５〜３０％、煮るなどして十分に加熱し、細かく粉砕したキクラゲ１０〜３０％、砂糖もしくはノンカロリー、低カロリーの甘味料２０〜３５％、水または牛乳、豆乳１０〜２５％、卵白５〜１５％を主成分として混合してなるアラゲキクラゲ等のキクラゲ類を使ったかるかん生地。
【請求項２】
特許請求の範囲第１項記載のキクラゲを使ったかるかん生地を用い、蒸気で蒸してできるかるかんやかるかん饅頭等の生成物。
【発明の詳細な説明】
【技術分野】
【０００１】本発明は、かるかんやかるかん饅頭を製造するために従来の山芋類を使わず、代わりにキクラゲ類を用いたかるかん生地と  このかるかん生地を用い、蒸気で蒸して生成されたかるかんやかるかん饅頭等の生成物に関する。
【背景技術】
【０００２】従来、かるかんやかるかん饅頭の主成分として山芋、長芋、自然薯等が主として用いられる。
これにかるかん粉や砂糖、卵白等を混合してかるかんやかるかん饅頭のかるかん生地をつくってきた。
【発明が解決しようとする課題】
【０００３】かるかんは山芋を使っているため、従来のものは山芋類にアレルギーある方が食べられない。また昨今  ダイエットや糖尿病などで食品の糖質を気にする傾向にあり、従来のかるかんも含め、和菓子は糖質もＧＩ値が高めのものが多く、食すのに躊躇されている。
そこで本発明のキクラゲかるかんは山芋の代わりに糖質ゼロで不溶性食物繊維の豊富なキクラゲ類を用いて低糖質でＧＩ値の低いかるかんやかるかん饅頭を提供することを目的とする。
【課題を解決するための手段】
【０００４】本発明のかるかん生地は重量％で（上新粉等代用可）１５〜３０％、細かく粉砕してよく加熱をして粘りを出したキクラゲ１０〜３０％、砂糖もしくはノンカロリー、低カロリーの甘味料２０〜３５％、水または牛乳、豆乳１０〜２５％、卵白５〜１５％などで構成する。
かるかん粉の代用としては上新粉等のうるち米粉や団子粉、それに硬さを調節するために片栗粉等が入った混合粉を用いることができ、キクラゲは生のキクラゲ、アラゲキクラゲ、白キクラゲの他  乾燥したキクラゲ、アラゲキクラゲ、白キクラゲを水で戻したもの、粉末状のキクラゲ、アラゲキクラゲ、白キクラゲに適量の水分を加えたものを用いることができる。
現況では国産の生キクラゲの生産量が増えており、以前より入手が容易になってきているが、中華料理や炒め物等に使われることが多く、菓子等に使われることは稀である。
【発明の効果】
【０００５】細かく粉砕してよく加熱をして粘りを出したキクラゲ１０〜３０％と砂糖もしくはノンカロリー、低カロリーの甘味料１５〜３０％、水または牛乳、豆乳等１０〜２５％をよく混ぜあわせる。別容器に卵白５〜１５％をよく泡立て砂糖５〜１０％を加え、さらに泡立てたものにかるかん粉等１５〜３０％をさっくり混ぜてかるかんの生地ができる。
キクラゲの粘り成分は山芋と同じであるため、上記方法で出来たかるかんやかるかん饅頭は従来のものと似たような食感が得られる。
また山芋は澱粉を含んでいるが、キクラゲは含んでいないため、キクラゲを用いたキクラゲかるかんはより糖質が少なく、より低カロリーであり、さらにキクラゲに豊富な栄養素ビタミンＤもとることが出来る。
【発明の実施例】
【０００６】以下本発明の実施例について説明する
（１）細かく粉砕してよく加熱をして粘りを出したキクラゲ２４０ｇとカロリーゼロ甘味      料３００ｇを入れてハンドミキサーでしっかり空気を含ませるように混ぜたあと豆      乳２１０ｇを少しずつ加えながらゆっくり混ぜる。
（２）（１）にかるかん粉３００ｇを数回に分けて混ぜ合わせる。
（３）卵白３個を泡立て、砂糖９０ｇを２〜３回に分けて入れて  さらに泡立て  角が立      つくらいしっかりとしたメレンゲを作る。
（４）（２）に（３）のメレンゲを入れ、泡を潰さないように切るように混ぜた後３０分      程度寝かせる（放置）。
（５）型に流し込み、蒸し器で１０〜２０分ほど蒸す。
（発明の効果）
本発明のかるかん生地を用いたかるかんやかるかん饅頭は、従来のかるかんと違い山芋類にアレルギーのある人でも安心して食べることが出来る。また従来のかるかんより糖質が少なく低カロリーでダイエットや糖尿病などで糖質を制限されている人も気兼ねすることなく食べることが出来、味や食感も従来のかるかんやかるかん饅頭と類似し、美味しいかるかんやかるかん饅頭を提供できる。
生地にキクラゲを使っているため  ビタミンＤもとることが出来る。
最近  日本で生産量が増えているが中華料理や炒め物等などの料理ばかりで菓子用としてあまり利用されることがなかったキクラゲを菓子材料として使うことが可能になった。
(57)【要約】      （修正有）【課題】ペダルを踏み込んでも、踏み込み量を小さくしてもどちらもブレーキが作動するワンペダル式の自動車の制御装置を提供すること。【解決手段】ペダルを踏み込まない状態では、ブレーキ圧Ｂ１がかかっており、ペダルを踏み込むにつれ、ブレーキ圧が徐々に減少し、さらに踏み込むと、ブレーキ圧がゼロになって、制動領域１を脱し、さらに踏み込むと、加速領域に入り、踏み込み量に応じて加速要素が徐々に増していき、ある時点で加速要素が最大となり、その後徐々に加速要素が減少してゼロになって加速領域から脱し、さらに踏み込むと、制動領域２に入りブレーキ圧がかかり始め、踏み込み量に応じてブレーキ圧が増していき、最も踏み込んだときにブレーキ圧が最大となり、踏み込み量を減ずる場合は、この逆の経過をたどる構成とした。【選択図】図１
2020026269.tif 000002
【特許請求の範囲】
【請求項１】
ペダルを踏み込まない状態で、あらかじめブレーキ圧Ｂ１がかかっており、
ペダルを踏み込むにつれ、ブレーキ圧Ｂ１が徐々に解除されて減少していき、
さらにペダルを踏み込んでいくと、ブレーキ圧Ｂ１がゼロになって、制動領域１を脱し、
さらにペダルを踏み込んでいくと、加速領域に入り、踏み込み量に応じて加速要素が徐々に増していき、ある時点で加速要素が最大となり、その後徐々に加速要素が減少してゼロになって加速領域から脱し、
さらにペダルを踏み込んでいくと、制動領域２に入りブレーキ圧Ｂ２がかかり始め、踏み込み量に応じてブレーキ圧Ｂ２が増していき、最も踏み込んだときにブレーキ圧Ｂ２が最大となり、
ペダルの踏み込み量を減ずる場合は、上記の逆の経過をたどり、
ペダルの踏み込み量がゼロから最大の間のいずれにあっても、踏み込み量を増やす方向にも減少させる方向にも操作可能である、
自動車の制御装置であるペダル。
【請求項２】
あらかじめ与えられるブレーキ圧Ｂ１が、機械的に発生させられる、請求項１に記載の自動車の制御装置であるペダル。
【請求項３】
あらかじめ与えられるブレーキ圧Ｂ１が、自動車の始動とともにアクチュエータによって発生させられる、請求項１に記載の自動車の制御装置であるペダル。
【発明の詳細な説明】
【技術分野】
【０００１】
この発明は、自動車の加速及び制動のためのペダルに関する。
【背景技術】
【０００２】
従来、多くの自動車は加速のためのアクセルペダルと制動のためのブレーキペダルを有している。
また、一つのペダルで加速及び制動を制御するワンペダル式の自動車もある。
【０００３】
アクセルペダルとブレーキペダルを有する自動車において、ブレーキペダルとアクセルペダルを踏み間違えることによる事故が発生している。
また、ペダルの踏み込み量を小さくし、又はなくすことによりブレーキをかけるワンペダル式の自動車にあっては、従来の自動車に慣れている者は、あわてた場合に、ブレーキをかけようとしてペダルを踏み込んでしまうことも考えられる。
【発明の概要】
【発明が解決しようとする課題】
【０００４】
この発明は、ペダルを踏み込んでも、ペダルの踏み込み量を小さくしてもどちらもブレーキが作動するワンペダル式の自動車の制御装置を提供することを課題とする。
【課題を解決するための手段】
【０００５】
上記の課題を解決するために、本発明の自動車の制御装置であるペダルは、ペダルを踏み込まない状態で、あらかじめブレーキ圧Ｂ１がかかっており、ペダルを踏み込むにつれ、ブレーキ圧Ｂ１が徐々に解除されて減少していき、さらにペダルを踏み込んでいくと、ブレーキ圧Ｂ１がゼロになって、制動領域１を脱し、さらにペダルを踏み込んでいくと、加速領域に入り、踏み込み量に応じて加速要素が徐々に増していき、ある時点で加速要素が最大となり、その後徐々に加速要素が減少してゼロになって加速領域から脱し、さらにペダルを踏み込んでいくと、制動領域２に入りブレーキ圧Ｂ２がかかり始め、踏み込み量に応じてブレーキ圧Ｂ２が増していき、最も踏み込んだときにブレーキ圧Ｂ２が最大となり、ペダルの踏み込み量を減ずる場合は、上記の逆の経過をたどり、ペダルの踏み込み量がゼロから最大の間のいずれにあっても、踏み込み量を増やす方向にも減少させる方向にも操作可能である、構成とした。
【発明の効果】
【０００６】
本発明の自動車の制御装置であるペダルは、誤って意図しない操作を行った場合でも、ほとんどの場合にブレーキが作動するため、事故による被害の重大化を抑止することが期待できる。
【図面の簡単な説明】
【０００７】
【図１】本発明の一実施形態における自動車の制御装置であるペダルの制御の内容を示す図である。
【発明を実施するための形態】
【０００８】
あらかじめ与えられるブレーキ圧Ｂ１は機械的に発生させてもよいし、自動車の始動とともにアクチュエータによって発生させてもよい。
【０００９】
坂道発進補助機能を別途、又は一体的に組み込んでもよい。
【００１０】
坂道発進補助機能を一体的に組み込む場合は、自動車が停止状態のときのみａ１をｂ１の左側に、ａ２をｂ２の右側に移動させ、走行時にはａ１及びａ２を本来の位置に戻すことにすればよい。
【００１１】
一方向のペダル操作によって加速要素を増加から減少へと転じさせるためには、例えばカムを使用すればよい。
カムを使用すれば、一方向の運動を往復運動に変換することができる。
カムの形状により、加速要素の増減の仕方や加速要素が最大となっている範囲を制御することができる。
【符号の説明】
【００１２】
ｂ１  ペダルの踏み込み量を増すときブレーキ圧Ｂ１がゼロになる位置
又はペダルの踏み込み量を減ずるときブレーキ圧Ｂ１がかかり始める位置
ａ１  ペダルの踏み込み量を増すとき加速要素がかかり始める位置
又はペダルの踏み込み量を減ずるとき加速要素がゼロになる位置
ａ２  ペダルの踏み込み量を増すとき加速要素がゼロになる位置
又はペダルの踏み込み量を減ずるとき加速要素がかかり始める位置
ｂ２  ペダルの踏み込み量を増すときブレーキ圧Ｂ２がかかり始める位置
又はペダルの踏み込み量を減ずるときブレーキ圧Ｂ2がゼロになる位置
【図１】
2020026269.tif 000003
(57)【要約】【課題】  ゴミ箱の底の部分はゴミや汚れがこびりつきやすいが、大型のゴミ箱などは度々洗うのは困難であったし、ゴミで膨らんだゴミ袋を取り出す時は手間がかかる。【解決手段】ゴミ箱の底の部分を取り去って開口し、お盆状の受け皿を設けてその上に設置するようにして、ゴミ箱本体と、底の部分を分離した。ゴミ箱本体はゴミ投入の開口部より底の開口部に向かって少々広げてゴミを下から取り出し易くした。【選択図】図１
2020026352.tif 000002
【特許請求の範囲】
【請求項１】
（１）ゴミ箱を本体と底の部分を分離して、底を抜いて開口し、お盆状の受け皿の底を設け本体を載せる。
（２）本体の上の開口部は、底を抜いた開口部と同じか少々小さくした、底の部分分離式ゴミ箱である。
【発明の詳細な説明】
【技術分野】
【０００１】  本発明は、ゴミ箱の底のこびりついた汚れ、くっ付いてしまったゴミを簡単に洗浄出来るゴミ箱である。そして特に生ゴミのゴミ箱のように大型のものでは、ゴミで膨らんだゴミ袋を簡単に取り出し易くすることを考案したものである。
【背景技術】
【０００２】  従来のゴミ箱は、底の部分の汚れを簡単に洗浄するという考えの物は無く、ポリ袋を入れてもゴミ箱の底はどうしても汚れてしまうので簡単に常時、清潔に洗えるようにする為にゴミ箱本体と底を分離し．底は汚い液体が床に流れ出ないようにお盆状の受け皿のようにして、その上に底を抜いたゴミ箱本体を嵌め込む、又は受け皿の形状の上に置くと云う考案のものである。
また、ゴミ袋を使う大型の物は、ゴミで膨らんだゴミ袋を取り出すのは、力も要るし、手間のかかるものなので、ゴミ箱本体を持ち上げて、底の開口部より取り出すようにするが、下の底の開口部より、上の開口部は、ほんの少々小さくして、ゴミ袋は、本体を持ち上げて底の方の開口部から、お盆状の受け皿である底にのっているゴミ袋を取り出すと云う考えのものである。
【先行技術文献】
【特許文献】
【０００３】
【特許文献１】
【特許文献２】
【発明の概要】
【発明が解決しようとする課題】
【０００４】  従来より、次のような問題点があった。
（イ）特にキッチンの生ごみを入れるゴミ箱は大きくて深いので底を洗うのが大変だった。
（ロ）ゴミ箱の大小にかかわらず、底の隅の所にこびりついた汚れやゴミは簡単には取れず清潔に保つのは困難であった。
（ハ）ゴミで膨らんだゴミ袋をゴミ箱から取り出すのは手間がかかり大変であった。
本発明は以上の問題点を解決しようとするものである。
【課題を解決するための手段】
【０００５】  ゴミ箱の底板をゴミ箱本体から外して、ゴミ箱の底を抜いて、底の部分をお盆状の受け皿の形状として、その上に底の抜けたゴミ箱本体を置くか嵌め込む。
本体と底を分離する事で簡単に底板の部分を洗う事が出来るので、隅の角に溜まりやすい汚れも簡単に洗う事が可能である・
本体の方は底ほどは汚れないから洗う頻度も少なくて済む。
【発明の効果】
【０００６】  ゴミ箱の底だけを、ゴミ箱本体と離してあると簡単に洗えるので、いつも清潔に出来るし、特に大きくて深いゴミ箱などは、洗うのが大変だが、洗う回数が少なくて済む。
底の部分は受け皿はお盆状になっているのでゴミから出た液体で床を汚す事も無い。
【図面の簡単な説明】
【０００７】
【図１】本発明の斜視図である。
【図２】本発明の仕様正面図を示した物である。
【図３】本発明の本体の底を抜いた図を示した物である。
【図４】本発明の本体を乗せる受け皿状の底である。
【発明を実施するための形態】
【０００８】以下、本発明の実施の携帯を説明する。
（イ）  ゴミ箱（１）の底板を取り去って、分離部分（２）から切り離し、お盆状の受け        皿状の（３）底の部分の上に設置する。
（ロ）  蓋（３）はあっても無くても良い。
（ハ）  ゴミ箱本体（１）は上の開口部（４）を底の開口部（５）より少々小さくして、        ゴミ袋（６）を受け皿に簡単に乗るようにする。
（ニ）  （７）は蓋（８）は蓋の取っ手であるが本発明の構造には直接は関係はない。
【符号の説明】
【０００９】１  底部分を本体と分離したゴミ箱。
２  本体と底の部分の分離点。
３  お盆状の底の部分。
４  上のゴミ投入口。
５  ゴミ箱底の開口部
６  ゴミ袋
７  蓋
８  蓋の取っ手
【図１】
2020026352.tif 000003
【図２】
2020026352.tif 000004
【図３】
2020026352.tif 000005
【図４】
2020026352.tif 000006
【図５】
2020026352.tif 000007
【図６】
2020026352.tif 000008
【手続補正書】
【提出日】平成30年10月10日(2018.10.10)
【手続補正１】
【補正対象書類名】明細書
【補正対象項目名】０００７
【補正方法】変更
【補正の内容】
【０００７】
【図１】本発明の斜視図である。
【図２】本発明の仕様正面図を示した物である。
【図３】本発明の本体の底を抜いた図を示した物である。
【図４】本発明の本体を乗せる受け皿状の底である。
【図５】底の部分に乗せたゴミ袋を本体を持ち上げて取り出す図である。
【手続補正２】
【補正対象書類名】図面
【補正対象項目名】図６
【補正方法】削除
【補正の内容】
(57)【要約】【課題】従来のマヨネーズ容器のダブルキャップの出口は、細口と星形口の２通りあるが容器の星形口手前にマヨネーズが滞り使い切る事が困難で、また容器の洗浄も容易にできなかった。【解決手段】１８０度互い違いに開く２つのヒンジ部からなる上蓋のトリプルキャップ構造にして従来の細口と星形口に加え容器側へ大口の出口を設ける事で課題を解決する。【選択図】図１
2020026310.tif 000002
【特許請求の範囲】
【請求項１】
３通りの出口を特徴とする容器用のトリプルキャップ。
【請求項２】
１８０度互い違いに開く２つのヒンジ部からなる上蓋構造のトリプルキャップ。
【発明の詳細な説明】
【技術分野】
【０００１】  本発明は、３通りの出口を特徴とする容器用のトリプルキャップである。
【背景技術】
【０００２】  従来、マヨネーズ容器では２通りの出口のダブルキャップがある。
【発明の概要】
【発明が解決しようとする課題】
【０００３】  従来のマヨネーズ容器のダブルキャップの出口は、細口と星形口の２通りあるが容器の星形出口手前にマヨネーズが滞り使い切る事が困難で、また容器の洗浄も容易にできなかった。
【課題を解決するための手段】
【０００４】  本発明に関わるトリプルキャップは、１８０度互い違いに開く２つのヒンジ部をからなる上蓋構造にして従来の細口と星形口に加え容器側へ大口の出口を設ける事で課題を解決した。
【発明の効果】
【０００５】  トリプルキャップにする事で容器側に大口の出口を追加で設ける事ができる、その結果マヨネーズが使い切りし易くなり、また容器の洗浄も容易にできるようになる。
【図面の簡単な説明】
【０００６】
【図１】本発明に関わるトリプルキャップと容器の側面図である。
【図２】トリプルキャップの開閉と外した状態の出口の関係図である。
【発明を実施するための形態】
【０００７】  １８０度互い違いに開く２つヒンジ部からなる上蓋のトリプルキャップ構造にする。
【符号の説明】
【０００８】  １  トリプルキャップ
２  容器
【図１】
2020026310.tif 000003
【図２】
2020026310.tif 000004
(57)【要約】【課題】この発明は、片手の指で操作でき、操作する手の指先に液体を噴霧することによって指先を濡らすことができる手動式簡易噴霧ポンプボトルを提供する。【解決手段】第一に、指の背を乗せるフィンガープレートあるいは指の腹を乗せるフィンガーホルダーを設置したことを特徴とする。第二に、フィンガープレートあるいはフィンガーホルダーにシリンダーポンプを取り付けて、くみ上げた液体を噴霧ノズルに送るわけであるが、このとき噴霧ノズルを指先方向に向かうように設置したことを特徴とする。【選択図】図１
2020026309.tif 000002
【特許請求の範囲】
【請求項１】
シリンダーを押すために、指の背を乗せるフィンガープレートまたは指の腹を乗せるフィンガーホルダーを設け、噴霧ノズルが指先に向かうように設置された手動式簡易噴霧ポンプボトル。
【発明の詳細な説明】
【技術分野】
【０００１】この発明は、片手の指で軽く操作することができ、操作する手の指先にごく少量の液体を噴霧することにより、指先を滑りにくくするための手動式簡易噴霧ポンプボトルに関するものである。
【背景技術】
【０００２】  ポリエチレン袋は、指先が乾いているとすべってしまい開けにくい。従来は、濡れタオルを用意して、これに指先をつけることで、指先を濡らして開けやすくしている。しかしながら、スーパー等で不特定多数が使用する濡れタオルは、衛生上非常に問題がある。また、紙を扱う現場では、紙をめくる時に、指先が乾いているとうまくめくることができないので、濡れたスポンジ等が使われることが多い。レジで使用するスポンジも複数の人が使う点では同様の問題が生じ、また繰り返し使うことによる汚れも問題になる。また、従来のポンプ式ボトルでは、片方の手でポンプを押しながら、他方の手の指を濡らすことになり、両手を使わなければならないので大変不便である。しかも指先を濡らす程度のごく少量の液体噴霧には向いていない。
【先行技術文献】
【特許文献】
【０００３】
【特許文献１】特開２０１７−１４９１２５（Ｐ２０１７−１４９１２５Ａ）
【特許文献２】特開２００４−１８２２６１号公報
【発明の概要】
【発明が解決しようとする課題】
【０００４】  指先をぬらす方法としての濡れタオルや水を含ませたスポンジは衛生的ではなく、汚れも残りやすい。従来のポンプ式ボトルを利用する場合も、片方の手でポンプを押しながら、他方の手の指を濡らす必要があり、大変不便である。また不特定多数が使用すると、ポンプが汚染される恐れもあり、この方法も衛生的とは言えない。一方、衛生面だけをみれば、センサーをつけた自動指先加湿器も考えられるが、利便性を考えると、手動式の安価で単純な構造のほうが望ましい。
本発明はこのような問題点を解決するためになされたものである。
【課題を解決するための手段】
【０００５】  タイプＡとタイプＢがあるが、原理は同一である。指の背を乗せるフィンガープレート１（タイプＡの場合）あるいは指の腹を乗せるフィンガーホルダー２（タイプＢの場合）にシリンダーポンプ３を取り付けて液体をくみ上げ、くみ上げた液体を噴霧ノズルに送る。このとき噴霧するノズルを、指先方向に向かうように設置する。
【発明の効果】
【０００６】  指の背を乗せるフィンガープレート１、あるいは指の腹を乗せるフィンガーホルダー２を使い、指の背または腹でポンプを押す構造になっているが、このような構造はいままでになかったものである。さらに、噴霧ノズルを指先方向に向かうようにする構造も今までになかったものである。この手動式簡易噴霧ポンプボトルを使えば、濡れタオルやスポンジを使う時のような指先の汚染やよごれの心配はなくなる。また、従来のポンプ式ボトルのように、両手を使う必要がないので、非常に使いやすくなる。指の背を乗せるフィンガープレート１あるいは指の腹を乗せるフィンガーホルダー２を用意したことで、片手の指の背、あるいは指の腹でポンプを押すことができるようになると共に、噴霧ノズルが指先を向いているため、指先にごく少量の液体を衛生的に噴霧できるようになる。不特定多数が使用する場合は、フィンガープレート１あるいはフィンガーホルダー２が汚染される可能性もあるが、物をつかむ指先が汚染されることはないので、特に問題はない。この他、紙をめくったり、数えたりする必要のある業種、例えば印刷会社、官公庁、銀行、学校、図書館をはじめとして、レジの作業に至るまで、あらゆる場面で利用することができる。
【図面の簡単な説明】
【０００７】
【図１】本発明のタイプＡの斜視図である。
【図２】本発明のタイプＡの側面図である。
【図３】本発明のタイプＢの斜視図である。
【図４】本発明のタイプＢの側面図である。
【図５】タイプＡで指を乗せた時の斜視図である。
【図６】タイプＢで指を乗せた時の斜視図である。
【発明を実施するための形態】
【０００８】  指の背を乗せるためのフィンガープレート１、あるいは指の腹を乗せるフィンガーホルダー２を用意し、これにシリンダーポンプ３を接続する。ボトル６から吸引チューブ４で吸い上げられた液体は、パイプ５を通して噴霧ノズル６に送られ、噴霧ノズル６から指先に液体が噴霧される。本発明は以上のような構造である。本発明を使用するときは、まず指の背でフィンガープレート１、あるいは指の腹でフィンガーホルダー２を軽く押す。するとシリンダーポンプ３によってくみ上げられた液体が、パイプ５を通って指先方向に向かう噴霧ノズル６から噴霧され、指先を濡らすことができる。
【符号の説明】
【０００９】  １    フィンガープレート
２    フィンガーホルダー
３    シリンダーポンプ
４    吸引チューブ
５    パイプ
６    噴霧ノズル
７    ボトル
８    キャップ
【図１】
2020026309.tif 000003
【図２】
2020026309.tif 000004
【図３】
2020026309.tif 000005
【図４】
2020026309.tif 000006
【図５】
2020026309.tif 000007
【図６】
2020026309.tif 000008
(57)【要約】      （修正有）【課題】効率向上を図ったスクロール部材の構成方法を提供する。【解決手段】スクロール部材の鏡板を二分割に、または三分割にして組み立てる構成とする。また、鏡板の分割断面に希土類磁石を着磁させて、磁石の反発力によるスクロ−ルロ−タの回転力トルクアップの効果を得る。【選択図】図２
2020026790.tif 000002
【特許請求の範囲】
【請求項１】
二分割継手旋回スクロ−ルロ−タ（１）と二分割継手共巡りスクロ−ルロ−タ（２）とする（１）の中心部の中にシリンダを構成しスクロ−ルロ−タを切削している（２）の分割継手は中心部に優弧と劣弧の間の１８０度の数粍段差の円弧を持つ（３）旋回スクロ−ルロ−タの下面のガス圧スクロ−ル溝（４）共巡りスクロ−ルロ−タ（２）の数粍段の１８０度円弧下部にスクロ−ル溝を構成分割断面に負圧により反発している（１）も同様であり（１）と（２）もガス圧スクロ−ル溝を有し二枚一組をスクロ−ルロ−タ圧縮機としている
【請求項２】
三分割継手旋回スクロ−ルロ−タ（５）三分割継手共巡りスクロ−ルロ−タ（６）（５）（６）共に三枚一組のスクロ−ルロ−タとし三枚中の上継手と下継手の中心半径には優弧と劣弧の間の１８０度の円弧を数粍の段差を付け分割断面はスクロ−ルロ−タ直径に延び分割断面には大小の希土類磁石を着磁させ磁石の反発により回転力トルク向上をねらい９０度分割対向マグネットスクロ−ルロ−タ圧縮機とする
【発明の詳細な説明】
【技術分野】
【０００１】スクロ−ルロ−タの継手の外周に向けてガス圧渦溝を切削している上記のスクロ−ルロ−タは三分割され三枚一組され９０度づつ磁石を配置を持たせトルクアップ動力の回生効果を発生とする
【背景技術】
【０００２】現在のスクロ−ルロ−ルは発動機モ−タなので直結で駆動しておりスクロ−ルロ−タ即ち断熱圧縮が持つ熱力学による熱量の出入仕事量エンタルピにてアシストもので供に機械的マグネットによりアシストするスクロ−ルロ−タ
【先行技術文献】
【０００３】
【特許文献１】特開２０１２−４４５１７
【発明の概要】
【発明が解決しようとする課題】
【０００４】（イ）スクロ−ルロ−タが持つ熱力学断熱指数エントロピ−即ち熱の授量仕事とするエンタルピ−を有効利用して熱力学を機械力学に変換しようとする
（ロ）上記の三分割継手を優弧と劣弧の中間の１８０度の円弧を円柱の端面に数粍段付け切削している
（ハ）両継手はガス圧スクロ−ル溝と磁石の着磁力による反発による三分割継手スクロ−ルロ−タ
【課題を解決するための手段】
【０００５】二分割継手の中に切削した旋回スクロ−ルロ−タ（１）二分割継手の中に入れた共巡りスクロ−ルロ−タ（２）
（２）二分割継手の旋回スクロ−ルロ−タの円弧の側面に切削したガス圧スクロ−ル溝（３）二分割継手の共巡るスクロ−ルロ−タの側面に切削したガス圧スクロ−ル溝（４）
三分割した継手の中に切削した旋回スクロ−ルロ−タの断面に着磁する為の分割断面（５）三分割した継手の中に切削した共巡りするスクロ−ルロ−タで共に旋回スクロ−ルロ−タか分割した継手断面に磁石着磁させる為の分割断面（６）以上の構成よりなるスクロ−ルロ−タ
【発明の効果】
【０００６】二分割と三分割と二種類の継手は優弧と劣弧の間の１８０度の円弧状の円柱は数粍段差の切削をつけている
二分割継手は円周に向けて両端面にスクロ−ルガス圧溝切削している
三分割継手は分割断面に磁石を着磁させ旋回スクロ−ルロ−タと共巡りスクロ−ルロ−タをマグットにより反発させ両共回転力トルクアップ向上効果とすれば
断熱指数エントロピ熱量の授受エンタルピが現れたとすればモリエル線図Ｔ．Ｓ線図での動力及び全体図での表現わ難しい
ガス圧力アシスト及びマグネット着磁アシスト共にモリエル線図Ｔ．Ｓ上の動力計算でなく所定のサイクル３レフトンより小さいワット数は電動力及び回生システムなどで解決する
熱力学上の基本エンタルピの問題点を補うことでなく小型は別として中，大型三レフトン以上の冷凍機の効果をせしめるとする
【図面の簡単な説明】
【０００７】
【図１】二分割継手スクロ−ルロ−タ斜視図
【図２】三分割継手スクロ−ルロ−タ斜視図
【発明を実施するための形態】
【０００８】（イ）二分割継手スクロ−ルロ−タ（１）継手の内径に切削された旋回スクロ−ルロ−タ
（ロ）二分割継手スクロ−ルロ−タ（２）継手の内径に切削された共巡りスクロ−ルロ−タ
（ハ）二分割継手旋回スクロ−ルロ−タ（３）ロ−タの側面に切削したガス圧案内スクロ−ル溝
（ニ）二分割継手共巡りスクロ−ルロ−タ（４）ロ−タの側面に切削したガス圧案内スクロ−ル溝
（ホ）三分割継手旋回スクロ−ルロ−タの（５）三分割された分割断面に希土類磁石を着磁させ磁石の反発をうる
（ヘ）三分割継手共巡りスクロ−ルロ−タの（６）三分割された分割断面に希土類磁石を着磁させ磁石の反発をうる
【符号の説明】
【０００９】１二分割継手旋回スクロ−ルロ−タ
２二分割継手共巡りスクロ−ルロ−タ
３二分割継手旋回スクロ−ルロ−タ中心シリンダ上部吐出孔
下側面のガス圧スクロ−ル溝
４二分割継手共巡りスクロ−ルロ−タ中心上部吐出孔と負圧室に充慎する為の案内瓦斯圧スクロ−ル溝
５三分割継手旋回スクロ−ルロ−タ及び着磁反発式分割ロ−タ
６三分割継手共巡りスクロ−ルロ−タ及び着磁反発式分割ロ−タ
【図１】
2020026790.tif 000003
【図２】
2020026790.tif 000004
(57)【要約】【課題】風力発電における従来の風車は、天候任せの風で回転させるもので、人工的な加速装置を使わずに風速を加速することはできないという問題があった。【解決手段】集風壁内の通常風の流れの末端にベンチュリー部を設けて、流速を加速させ、その加速風で風車の回転力を上げ更なる効率的な発電を提供する。また、風車を回転させる目的の順風以外の抵抗風を排除するために防風カバーを設けることにより更にベンチュリー効果をアップさせ発電効率を向上させることが出来る。また従来、用を為さなかった弱風でもベンチュリー部で加速することにより、新たな発電を得ることが出来る。【選択図】図１
2020026796.tif 000002
【特許請求の範囲】
【請求項１】
通常の風力よりも強力な風力により風車を回転させる目的で、集風口と集風壁とベンチュリー部を備えた風力加速装置。
【請求項２】
風車を回す方向に働く順風に対し、その反対側を通過する抵抗風を排除するために設ける防風カバー。
【発明の詳細な説明】
【技術分野】
【０００１】  本発明は、風力発電用の風車に関する技術である。
【背景技術】
【０００２】  従来の風力発電用の風車は、一定量以上の風力に応じて風車が回転する。つまり、風力が弱ければ風車は回転しにくいという弱点があった。【０００３】  そのため風車の形状構成を種々に工夫し、水平軸風車ではプロペラ形、オランダ形、多翼形、セイル形等が、また垂直軸風車ではパドル形、Ｓ字形、サポニウス形、直線翼形、ダリウス形、クロスフロー形等が発案され実用化されているが、尚発達途上にある。【０００４】  しかし、これらの工夫された実用機は全て天候次第であり、風がどのくらいの強さで吹くのかいずれも風任せである。【０００５】  従来の技術は、風力、風量を完全にコントロールするには至っていない。風をいかに効率よく捕まえるかのアイデアだけであった。
【先行技術文献】
【特許文献】
【０００６】
【特許文献１】Ｊ−ＰｌａｔＰａｔの検索件数は０件（検索ワードは、風力発電  風車、構造、風速加速装置、ベンチュリー部、ベンチュリー効果）
【非特許文献】
【０００７】
【非特許文献１】
【発明の概要】
【発明が解決しようとする課題】
【０００８】  以上に述べた従来の風車では、風車の種類応じて一定量以上の風力がなければ風車の回転は得られないという構成であった。【０００９】  本発明は、このような従来の構成が有していた問題を解決しようとするものであり、従来の構成よりも弱い風力で風速を上げて風車の回転力を上げることを目的とするものである。
【課題を解決するための手段】
【００１０】  そこで、本発明は上記目的を達成するために、風車軸の延長線上に風を取り込む集風壁を架設する。集風壁は薄板で円形ないし任意の形状に架設する。集風壁の風上の集風口は大きく、風下のベンチュリー部は小さくし、いずれも開放して風が流れるようにする。【００１１】  開放状態になっている風上の断面積は風下よりも大きくし、風下は風の流速を上げるため小さく絞り込んで断面積を小さくした形状にする。つまりベンチュリー効果を発生させるための構成とする。
【発明の効果】
【００１２】  上述したように本発明の発電用風車は、集風壁を風車軸の延長線上に架設し、さらに風下側を絞り込むことによりベンチュリー効果を発生させ、風速を増強させる効果を得る。【００１３】  従って、集風壁は従来よりも弱い風力の風を効率よく補足し、ベンチュリー効果により風速をはるかに上げることができるので、風力の小さい場所での発電が可能となり、発電効率のアップにつながるものである。【００１４】  集風口の断面積をＡとし、ベンチュリー部の断面積をＢとすると、Ｂ／Ａに逆比例してベンチュリー部の風速は上がる構成になる。【００１５】  又、集風壁と風車を一体化した装置に風見鶏を備え付けることにより、的確に風をとらえ、日常の風速の数倍の風速と風力を確保でき、発電効率を高めることができる。
【図面の簡単な説明】
【００１６】
【図１】集風壁とベンチュリー部と且つ防風カバーが一体になった垂直軸風車の平面図
【図２】同正面図
【図３】同左側面図
【図４】水平軸風車の正面図
【図５】同、Ａ−Ａ断面左側面図
【発明を実施するための形態】
【００１７】  以下、本発明の実施の形態を図１〜図５に基づいて説明する。
【００１８】  図において、１は空中を吹いている風を取り込むための集風口であり、２は取り込んだ風をベンチュリー部に誘導するための集風壁であり、３は誘導された風を集中させて風速を上げるためのベンチュリー部であり、８はベンチュリー部で加速された排気風であり、この加速された排気風で５の風車を回転させ、弱風での発電を可能にする構造になっている。またより強風下では更なる発電の効率を上げる構造となっている。
【００１９】  排気風８以外の外側の風は風車に対して抵抗風とり、風速、風力は半減するので、風車全体に防風カバー６を取り付けることにより抵抗風を排除し、ベンチュリー効果を最大に発揮する構造となっている。
【００２０】  防風カバーの形状、大きさは任意とする。
【図１】
2020026796.tif 000003
【図２】
2020026796.tif 000004
【図３】
2020026796.tif 000005
【図４】
2020026796.tif 000006
【図５】
2020026796.tif 000007
(57)【要約】【課題】充填剤の表面の仕上げ作業で継ぎ目が出来るのは、継ぎ目の前後の工程でヘラの角度の加減や力加減が原因です。【解決手段】本考案の試作を作り、作業を行なったら継ぎ目は出来ません。出隅、入隅の作業も容易に出来ました。【選択図】図１
2020026727.tif 000002
【特許請求の範囲】
【請求項１】
充填材の表面の仕上げ作業は、球形のヘラ先を有することで継ぎ目を作らない。
出隅、入隅の作業も容易に出来ること。
【発明の詳細な説明】
【発明の概要】
【０００１】壁面を全面仕上げる時  先ず壁材を取り付け、端には充填作業が残ります。
充填箇所の両側に養生用の粘着テープを張り付け充填材のはみ出しに備えます。
充填材を注入して壁の仕上げ作業となります。作業は注入した後、充填材が硬化の始まる前に手際良く板状のヘラを使い仕上げていきます。
【発明が解決しようとする課題】
【０００２】
2020026727.tif 000003
出来てしまい美感を損ねることになってしまいます。修正に時間もかかります。
【発明が解決しようとする手段】
【０００３】本考案の球形を有する先マルヘラを使用すればヘラ先が球形のため角度の調整や力加減を必要としません。
【発明の効果】
【０００４】
2020026727.tif 000004
養生テープの押えも出来るので、充填材がはみ出ることも止められます。
【図面の簡単な説明】
【０００５】
【図１】図１は斜視図で考案が一体化していることを表わしています。
【図面の符号の説明】
【０００６】イ．柄の部分
ロ．胴の部分
ハ．ヘラの先  球形の部分
【図１】
2020026727.tif 000005
(57)【要約】      （修正有）【課題】効率的にキャベツのスライスを行えるキャベツスライサーを提供する。【解決手段】スライス板２に設けた刃３の上部を前後にスライドする筒１を設け、筒１は、平面的に一定の曲線を保って湾曲した前部は扁平に保ち、後部は尻つぼみの形状とし、更に、側面はその上端から下端にかけて、やゝ末広がりの形状を有する。【選択図】図２
2020026018.tif 000002
【特許請求の範囲】
【請求項１】
平面的に一定の曲線を保って湾曲した筒１の前部は、扁平に保ち、後部は尻つぼみの形状とし、更に、筒１の側面をその上端から下端にかけて、やゝ、末広がりに設け、スライス板２に設けた刃３の上部を、該筒１が前后にスライドするようにしたキャベツのスライスサーの構造。
【発明の詳細な説明】
【技術分野】
【０００１】  本発明は、キャベツを効率よくスライスするための器具に関する。
【背景技術】
【０００２】  從来のキャベツのスライスに関しては、効率的に行えるものが見当らず、包丁で切るしかない不便さがあった。
【発明の概要】
【発明が解決しようとする課題】
【０００３】  本発明は、このような問題点を解決しようとするものであり、湾曲した形を有する筒によって刃が効率良くスライスを行える器具を提供しようとするものである。
【課題を解決するための手段】
【０００４】  そして、本発明は、上記目的を達成するために、平面的に一定の曲線を保って湾曲した筒の前部は、扁平に保ち、後部は尻つぼみの形状とし、更に、筒の側面をその上端から下端にかけて、やゝ、末広がりに設け、スライス板に設けた刃の上部を、筒が前后にスライドするようにしたものである。
【発明の効果】
【０００５】  本発明のスライサーは、湾曲した状態で筒内部にキャベツが収納されるので筒を摺動させることにより、刃が直線的でなく曲線的にキャベツを切ることができるので、比較的、均一な細切りキャベツを得ることができる。【０００６】  又、筒の湾曲した曲線の中心線の半径ｒを６ｃｍ、筒の幅を４．５ｃｍとしても良い結果が得られる。【０００７】  更に、筒の後部に設けられた尻つぼみの部分は、摺動によって、この場所でキャベツの密度が高まるので、キャベツの切断面を狹めて摺動を助けるためのものである。【０００８】
【図面の簡単な説明】
【０００９】
【図１】  本発明の器具の立体図
【図２】  同器具の平面図
【図３】  同器具の図２のＡ−Ａ線の断面図
【図４】  同器具の図２のＢ−Ｂ線の断面図
【発明を実施するための形態】
【００１０】  以下、本発明の実施の形態を図１〜図４に基づいて説明する。
【００１１】  図１には、押し込み器５が示されて居り、指を差し込んで押さえるための差し込み穴６が示されて居り、スライド板２の脚部７も示されて居る。
【００１２】  図２には、筒１の尻つぼみ部分８が示されて居り、筒１の湾曲した部分の曲線の中心線９も示されている。
【００１３】  図３には、押し込み器５に設けられた差し込み穴６、及び摺動を滑らかに行わせるためのライナー１０が示されている。
【００１４】  図４には、筒１の側面が上部から下部に向って末広がりに設けられていることが示されている
【符号の説明】
【００１５】  １、    筒
２、    スライス板
３、    刃
４、    筒１の取付け板
５、    押し込み器
６、    差し込み穴
７、    スライス板の脚部
８、    筒１の尻つぼみ部
９、    筒１の湾曲した曲線の中心線
１０、    ライナー
【図１】
2020026018.tif 000003
【図２】
2020026018.tif 000004
【図３】
2020026018.tif 000005
【図４】
2020026018.tif 000006
(57)【要約】【課題】  暑い夏場に帽子を被ると、頭部と帽子が密着しているために通気が悪く、頭皮が蒸れて汗をかき、皮脂が分泌され、雑菌が繁殖しやすい環境になり、毛根にも悪影響を与える。又、締め付けがきつい帽子は頭皮の血行を阻害する。ヘアースタイルを崩すという美容上の問題もある。  帽子と頭部に空間を設け、通気の良い帽子を提供するのが本発明の目的である。【解決手段】  メガネのフロント（前面部）の左右のリムの上部、左右のテンプル（ツル）の中央部、テンプル先端のモダン（耳当て）部の６か所に連結部材を設け、帽子の帯部に固着して、メガネで帽子を支持して被るメガネ型支持具。【選択図】図５
2020026605.tif 000002
【特許請求の範囲】
【請求項１】
頭部に乗せたり、締め付けたりしない、頭部と帽子に略１ｃｍ〜３ｃｍの空間を設けた帽子で、連結部材により支持した状態で被ることを特徴とする帽子。
【請求項２】
メガネのフロントの左右のリムの上部、テンプルの左右の中央部、テンプルの先端部モダンの左右に連結部材を設け、帽子の帯に固着して、請求項１の帽子を支持して被ることが出来るようにしたメガネ型支持具。
【発明の詳細な説明】
【技術分野】
【０００１】  この発明は、帽子を直接頭部に乗せたり、帽子の帯部で前頭部、側頭部、後頭部を締め付けない、帽子と頭部との間に空間を設けた帽子と、帽子を支持するための支持具に関するものである。
【技術背景】
【０００２】  帽子は防暑、防寒、防砂、装飾を目的として頭に被る衣類の一種である。一般に素材は布製で、つばを有する。
帽子のクラウン（頭部分）のトップクラウン（クラウンの頂上部分）が頭に乗り、サイドクラウン（クラウンの側面・周囲部分）とサイドクラウンとつばの境目にある帯とで頭を締め付けて帽子は被られる。
帽子と頭部の間に空間を設け、帽子と頭部が接触しない状態で被られる帽子は従来なかった。
【発明の開示】
【発明が解決しようとする課題】
【０００３】  帽子を被る目的の一つは防暑である。夏は太陽熱から頭の温度の上昇を防ぐと共に、紫外線も防いで頭皮が炎症を起こすのを防ぐ効果があり被った方が良い。しかし、帽子と頭部が密着して通気が悪く、頭皮が蒸れて汗をかき、皮脂が分泌され雑菌が繁殖しやすい環境になり、毛根にも悪影響を与える。又、締め付けがきつい帽子は頭皮の血行を阻害し、同じく髪や毛根のマイナス要因である。
帽子を被るとヘアースタイルを崩してしまうという、美容上の問題もある。
【課題を解決するための手段】
【０００４】本発明は、これらの欠点を除くためになされたもので、頭部で帽子を支持しないでメガネ型支持具により支持して被る構造である。
それを図１について説明すれば、帽子（１）を被った時、帽子と頭頂部、前・後頭部に略１ｃｍ〜３ｃｍの空間（２）を設けた帽子の左側面図である。
図２は、帽子（１）を被った時の両側頭部にも同様の空間があることを表す正面図である。このようにしたため頭部と帽子とが接触することがない。
図３は、この帽子を支持するためのメガネ型支持具の斜視図である。説明すれば、メガネのフロント（前面部）の左右のリムの上部に連結部材（４ａ）、（４ｂ）を設け帽子の前面のつばの内側に固着する。左右のテンプル（ツル）の中央部に（５ａ），（５ｂ）の連結部材を設け帽子の側面に固着する。テンプル（ツル）先端のモダン（耳当て）部に（６ａ）、（６ｂ）の連結部材を設け帽子の後側面に固着する。図４はメガネのリムの上部と、テンプル先端のモダン部の連結部材を変えたメガネ型支持具の斜視図である。
図５は図３のメガネ型支持具を帽子に固着して被った状態の左側面図である。
本発明は、以上のような構成よりなる帽子とメガネ型支持具である。
【発明を実施するための最良の形態】
【０００５】  実施例について図面を参照して説明する。図１は請求項１の帽子（１）を被った状態の左側面図である。帽子（１）のクラウンが頭部に乗ったり、クラウンや帯で頭部を締め付けたりしない、頭部と帽子との間に略１ｃｍ〜３ｃｍの空間（２）を設けた帽子である。
図２は図１の帽子を被った正面図である。【０００６】  図３は請求項２のメガネ型支持具の斜視図である。メガネのフロントの左右のリムの上部に弧型の連結部材（４ａ）、（４ｂ）を設け帽子の前面のつばの内側に固着する。左右のテンプルの中央部に帯状の連結部材（５ａ），（５ｂ）を設け帽子の側面に固着する。テンプル先端のモダン部に帯状の連結部材（６ａ），（６ｂ）を設け帽子の後側面に固着する構造である。【０００７】  図４は別な構造のメガネ型支持具の斜視図である。メガネのフロントの左右のリムの上部に帯状の連結部材（７ａ）、（７ｂ）を設け帽子の前面の内側に固着する。左右のテンプルの中央部に帯状の連結部材（５ａ）、（５ｂ）を設け帽子の側面に固着する。テンプル先端のモダン部を延長して連結部材（８ａ）、（８ｂ）を帽子の後部に固着する。このような構造の支持具である。【０００８】  図５は請求項１の帽子（１）に、図３の請求項２のメガネ型支持具（３）を装着して被った状態の左側面図である。
このような構成なので、頭部で支持しない帽子であっても、メガネ型支持具により帽子が固定されるので被ることができる。
【発明の効果】
【０００９】  帽子は、帽子と頭部との間に略１ｃｍ〜３ｃｍの空間を設けたことから通気が良く、頭皮が蒸れて汗をかき、皮脂が分泌されて雑菌が繁殖し易い環境が改善された。頭皮の血行が阻害されることもなく、髪や毛根にとっては大きなプラスである。
帽子を被ることによりヘアースタイルを大きく崩すことも改善された。
メガネ型支持具は、メガネの６か所で連結部材により帽子に固着される構造なので、帽子は少し位の風で動いたり、飛ばされることもなく被っていられる。また、メガネを掛けたり、外したりだけなので着脱も容易である。
メガネの上にさらにメガネをかけるオーバーメガネの対応もできる。
【図面の簡単な説明】
【図１】  請求項１に記載の発明の構成を示す左側面図
【図２】  請求項１に記載の発明の構成を示す正面図
【図３】  請求項２に記載の発明の構成を示す斜視図
【図４】  請求項２に記載の発明の別の構成を示す斜視図
【図５】  本発明の実施形態に係る帽子のメガネ型支持具の使用例を示す左側面図
【符号の説明】１、帽子
２、略１ｃｍ〜３ｃｍの空間
３、メガネ型支持具
４ａ、４ｂ、５ａ、５ｂ、６ａ、６ｂ、７ａ、７ｂ、８ａ、８ｂ  連結部材
【図１】
2020026605.tif 000003
【図２】
2020026605.tif 000004
【図３】
2020026605.tif 000005
【図４】
2020026605.tif 000006
【図５】
2020026605.tif 000007
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
メガネのフロントの左右のリムの上部、テンプルの左右の中央部、テンプルの先端部モダンの左右に連結部材を設け、帽子の帯に固着してなる頭部との間に空間を設け頭部で支持しない帽子と帽子の支持具。
(57)【要約】【課題】先行技術の場合は、その都度テープカットが必要であり、テープが剥がれて機能を果たさず、テープにより発疹や炎症の可能性あり、テープの使い捨てにつき不経済である。  本発明は、以上の問題点を解決するためになされたものである。【解決手段】不通気性の素材を、円筒型の外マスクを設け、弾力性のスポンジを、360度のツバのある、ハット帽子型の内マスク設け、外マスクの空洞に、内マスクを挿脱自在に設け、外マスクに耳輪を設け、耳輪を耳に掛けて、スポンジの弾力で唇を閉鎖させて、マスクで口呼吸を不能にし、鼻で呼吸することを特徴とする鼻呼吸健康口マスク。【選択図】    図１
2020026601.tif 000002
【特許請求の範囲】
【請求項１】
不通気性の素材を、円筒型の外マスクを設け、弾力性のスポンジを、360度のツバのある、ハット帽子型の内マスク設け、外マスクの空洞に、内マスクを挿脱自在に設け、外マスクに耳輪を設け、耳輪を耳に掛けて、スポンジの弾力で唇を閉鎖させて、マスクで口呼吸を不能にし、鼻で呼吸することを特徴とする鼻呼吸健康口マスク。
【発明の詳細な説明】
【技術分野】
【０００１】
本発明は、マスクを通気不能にし、マスクを口に設け、口呼吸を不能にし、鼻呼吸のみにした健康器具に関するものである。
【背景技術】
【０００２】
従来、巷では、上唇と下唇にテープを貼るのが知られている。
【発明の概要】
【発明が解決しようとする課題】
【０００３】
先行技術の場合は、その都度テープカットが必要であり、テープが剥がれて機能を果たさず、テープにより発疹や炎症の可能性あり、テープの使い捨てにつき不経済である。
本発明は、以上の問題点を解決するためになされたものである。
【課題を解決するための手段】
【０００４】
不通気性の素材を、円筒型の外マスクを設け、弾力性のスポンジを、360度のツバのある、ハット帽子型の内マスク設け、外マスクの空洞に、内マスクを挿脱自在に設け、外マスクに耳輪を設け、耳輪を耳に掛けて、スポンジの弾力で唇を閉鎖させて、口呼吸を不能にする。
以上の構成よりなる鼻呼吸健康口マスク。
【発明の効果】
【０００５】
（イ）鼻呼吸により、外気の黴菌の侵入の減少と風邪予防。
（ロ）鼻呼吸により、自然と深呼吸状態なり、横隔膜の伸縮によって内蔵機能が活性化されて、消化不良、便秘、血流、高血圧症等が改善される。
【図面の簡単な説明】
【０００６】
【図１】本発明の口マスクを口と下顎に掛けた側面図。
【図２】本発明の外マスクと内マスクを分離した正面図。
【図３】本発明の平面図。
【発明を実施するための形態】
【０００７】
以下、本発明の実施の形態を説明する。
1・外マスク（1）は、底付き円筒型で、円筒に空洞（3）を設け、素材は、プラスチッ    ク製品か、又は、無臭のゴム製品。
2・内マスク（4）は、弾力性のスポンジを、360度のツバ付きの、ハット帽子型に設      け、スポンジの弾力で唇を閉鎖させる。
3・外マスク（1）の空洞（3）に、内マスク（4）を挿脱自在に設ける。
4・耳輪（7）は、半円型で、耳輪（7）の二本の先端を外マスク（1）に、留金具（8）    で固定をする、耳輪（7）を耳に掛ける、素材は、無臭のゴム製品。
本発明は以上のような構造である。
本発明を使用するときは。
イ）外マスク（1）に、内マスク（4）を挿入し、内マスク（4）を下顎（11）に嵌め、      スポンジ（6）に、唇（10）を挿入すると、スポンジ（6）の弾力で、上下の唇        （10）を閉鎖し、口呼吸が不能になり、耳輪（7）を耳にかける。
ロ）使用後に、耳から耳輪（7）を、はずし、外マスク（1）から内マスク（4）を、抜      脱し、別の内マスク（4）と、交換して、使用をする。
ハ）内マスク（4）を、数個設け、使用後に洗濯し、洗濯した、内マスク（4）を、交互      に使用するか、または、内マスク（4）を、使い捨てにする。
二）最初に、起きている時間帯に、口マスクの使用を、数回重ねてから睡眠時に使用。
【符号の説明】
【０００８】
1外マスク、2底、3空洞、4内マスク、5パッキン、6スポンジ、7耳輪、8留金具、9ナット、10唇、11下顎、12鼻、13耳、14内マスクの移動範囲、
【図１】
2020026601.tif 000003
【図２】
2020026601.tif 000004
【図３】
2020026601.tif 000005
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
不通気性の素材からなる円筒型の外マスクを設け、弾力性のスポンジからなり、３６０度のツバのある、ハット帽子型の内マスクを設け、外マスクの空洞に、内マスクを挿脱自在に設け、外マスクに耳輪を設け、耳輪を耳に掛けて、スポンジの弾力で唇を閉鎖させて、マスクで口呼吸を不能にして、鼻で呼吸することを特徴とする鼻呼吸健康口マスク。